(57)【要約】【課題】簡易な構成により、変電機器の状態情報をより適切に取得することが可能な通信システムを提供する。【解決手段】  通信システムは、変電機器の状態情報を収集する第１通信装置と、第１通信装置と通信可能に構成された第２通信装置とを備える。第１通信装置は、蓄電池と、変電機器に取り付けられた各センサによって計測される変電機器の状態情報を取得する取得部と、各状態情報の優先度を設定する設定部と、各状態情報について、当該状態情報の優先度に応じた送信周期で当該状態情報を第２通信装置へ送信する送信制御部とを含む。設定部は、変電機器の絶縁性能に関連する状態情報の優先度を、絶縁性能に関連しない状態情報の優先度よりも高く設定する。送信制御部は、状態情報の優先度が高いほど短い送信周期で状態情報を第２通信装置へ送信する。【選択図】図６
2020198726.tif 000002
【特許請求の範囲】
【請求項１】
変電機器の状態情報を収集する第１通信装置と、
前記第１通信装置と通信可能に構成された第２通信装置とを備え、
前記第１通信装置は、
蓄電池と、
前記変電機器に取り付けられた各センサによって計測される前記変電機器の状態情報を取得する取得部と、
各前記状態情報の優先度を設定する設定部と、
各前記状態情報について、当該状態情報の優先度に応じた送信周期で当該状態情報を前記第２通信装置へ送信する送信制御部とを含み、
前記設定部は、前記変電機器の絶縁性能に関連する状態情報の優先度を、前記絶縁性能に関連しない状態情報の優先度よりも高く設定し、
前記送信制御部は、前記状態情報の優先度が高いほど短い送信周期で前記状態情報を前記第２通信装置へ送信する、通信システム。
【請求項２】
前記設定部は、前記取得部により取得された状態情報の計測値が基準範囲外である場合、当該状態情報の優先度を、前記計測値が前記基準範囲内である場合の当該状態情報の優先度よりも高くする、請求項１に記載の通信システム。
【請求項３】
前記取得部は、第１電圧階級の前記変電機器に設けられた各センサから第１状態情報を取得し、前記第１電圧階級よりも低い第２電圧階級の前記変電機器に設けられた各センサから第２状態情報を取得し、
前記設定部は、第１種類の前記第１状態情報の優先度を、前記第１種類の前記第２状態情報の優先度よりも高く設定する、請求項１または請求項２に記載の通信システム。
【請求項４】
前記変電機器はガス絶縁開閉機器であり、
前記ガス絶縁開閉機器の絶縁性能に関連する状態情報は、前記ガス絶縁開閉機器内のガス圧を含み、
前記ガス絶縁開閉機器の絶縁性能に関連しない状態情報は、前記ガス絶縁開閉機器内に設けられた開閉器の動作回数を含む、請求項１〜請求項３のいずれか１項に記載の通信システム。
【請求項５】
前記変電機器は変圧器であり、
前記変圧器の絶縁性能に関連する状態情報は、前記変圧器に封入される絶縁油温度および絶縁油量を含み、
前記変圧器の絶縁性能に関連しない状態情報は、前記変圧器に含まれるタップ切替器の切替回数を含む、請求項１〜請求項３のいずれか１項に記載の通信システム。
【請求項６】
前記蓄電池は、再生可能エネルギーに基づいて発電装置が生成した発電電力によって充電される、請求項１〜請求項５のいずれか１項に記載の通信システム。
【請求項７】
変電機器の状態情報を収集する通信装置であって、
蓄電池と、
前記変電機器に取り付けられた各センサによって計測される前記変電機器の状態情報を取得する取得部と、
各前記状態情報の優先度を設定する設定部と、
各前記状態情報について、当該状態情報の優先度に応じた送信周期で当該状態情報を他の通信装置へ送信する送信制御部とを備え、
前記設定部は、前記変電機器の絶縁性能に関連する状態情報の優先度を、前記絶縁性能に関連しない状態情報の優先度よりも高く設定し、
前記送信制御部は、前記状態情報の優先度が高いほど短い送信周期で前記状態情報を前記他の通信装置へ送信する、通信装置。
【発明の詳細な説明】
【技術分野】
【０００１】
本開示は、通信システム、および通信装置に関する。
【背景技術】
【０００２】
一般的に、変電機器の保守業務は、変電所などの電気所に点検技術員が赴き、機器個別に取り付けられたメータ、カウンタ等の表示器の数値情報を定期的に計測および記録するものである。保守業務の改善のため、上記数値情報を変電機器側から送信し遠隔地で受信するシステムが考えられる。
【０００３】
特開２００４−２０３０２号（特許文献１）は、高圧受変電設備の電力計測部のＰＴ比、ＣＴ比、定格容量などの設定データを遠隔地で送信または受信し、かつ、高圧受変電設備の電流、電圧、電力量、温度等を受信、蓄積するためのエネルギー管理システムを開示している。
【先行技術文献】
【特許文献】
【０００４】
【特許文献１】特開２００４−２０３０２号公報
【発明の概要】
【発明が解決しようとする課題】
【０００５】
変電機器の保守業務では、機器個別に取り付けられた表示器の数値情報が定期的に取得されている。しかし、一般的な保守業務では、電気量（例えば、電圧、電流）および周波数のように常時計測は必要なく、設定された期間内で物理量（圧力、温度、媒体量等）および物理回数（動作回数、起動回数、発生回数等）を変電機器の状態情報として取得できればよい。変電機器の状態情報を遠隔地へ送信するためには、状態情報を送信するための通信装置を設ける必要があるが、変電所には多数の変電機器が存在することを鑑みると、当該通信装置はできるだけ低コストかつ簡易な構成で実現することが求められる。
【０００６】
本開示のある局面における目的は、簡易な構成により、変電機器の状態情報をより適切に取得することが可能な通信システム、および通信装置を提供することである。
【課題を解決するための手段】
【０００７】
ある実施の形態に従う通信システムは、変電機器の状態情報を収集する第１通信装置と、第１通信装置と通信可能に構成された第２通信装置とを備える。第１通信装置は、蓄電池と、変電機器に取り付けられた各センサによって計測される変電機器の状態情報を取得する取得部と、各状態情報の優先度を設定する設定部と、各状態情報について、当該状態情報の優先度に応じた送信周期で当該状態情報を第２通信装置へ送信する送信制御部とを含む。設定部は、変電機器の絶縁性能に関連する状態情報の優先度を、絶縁性能に関連しない状態情報の優先度よりも高く設定する。送信制御部は、状態情報の優先度が高いほど短い送信周期で状態情報を第２通信装置へ送信する。
【０００８】
他の実施の形態に従うと、変電機器の状態情報を収集する通信装置が提供される。通信装置は、蓄電池と、変電機器に取り付けられた各センサによって計測される変電機器の状態情報を取得する取得部と、各状態情報の優先度を設定する設定部と、各状態情報について、当該状態情報の優先度に応じた送信周期で当該状態情報を他の通信装置へ送信する送信制御部とを備える。設定部は、変電機器の絶縁性能に関連する状態情報の優先度を、絶縁性能に関連しない状態情報の優先度よりも高く設定する。送信制御部は、状態情報の優先度が高いほど短い送信周期で状態情報を他の通信装置へ送信する。
【発明の効果】
【０００９】
本開示によると、簡易な構成により、変電機器の状態情報をより適切に取得できる。
【図面の簡単な説明】
【００１０】
【図１】通信システムの全体構成の一例を示す図である。
【図２】発信装置のハードウェア構成の一例を示すブロック図である。
【図３】受信装置のハードウェア構成の一例を示すブロック図である。
【図４】ＧＩＳの各状態情報の優先度の設定テーブルを示す図である。
【図５】変圧器の各状態情報の優先度の設定テーブルを示す図である。
【図６】発信装置および受信装置の機能構成を示すブロック図である。
【図７】発信装置の処理手順を示すフローチャートである。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
＜全体構成＞
図１は、通信システム５の全体構成の一例を示す図である。図１を参照して、通信システム５は、変電所等の電気所において用いられるシステムである。具体的には、通信システム５は、発信装置１０Ａ〜１０Ｃ（以下、「発信装置１０」とも総称する。）と、受信装置２０と、変電機器３０Ａ〜３０Ｃ（以下、「変電機器３０」とも総称する。）と、サーバ４０と、通信回線５０とを含む。
【００１３】
変電機器３０は、変電所内に設けられた機器であり、例えば、ガス絶縁開閉装置（ＧＩＳ：Gas  Insulated  Switch）、変圧器等である。変電機器３０Ａ〜３０Ｃには、センサ群３２Ａ〜３２Ｃ（以下、「センサ群３２」とも総称する。）が取り付けられている。センサ群３２は、変電機器３０の状態情報を計測するための複数のセンサを含む。
【００１４】
本願明細書における「状態情報」は、変電機器３０の保守業務の際に計測される変電機器３０の状態を示す情報であり、常時計測される情報を含まない。変電機器３０がＧＩＳである場合、状態情報は、ＧＩＳ内の各ガス区分におけるガス圧、ＧＩＳ内に収容された開閉器（例えば、遮断器、断路器、接地開閉器等）の動作回数、ＧＩＳの周囲温度等である。また、変電機器３０が変圧器である場合、状態情報は、変圧器本体に封入される絶縁油の温度（以下「絶縁油温度」と称する。）、絶縁油の量（以下「絶縁油量」と称する。）、変圧器に設けられたタップ切替器の絶縁油温度、絶縁油量、タップ切替回数等である。
【００１５】
発信装置１０は、変電機器３０に対応して設けられる。典型的には、発信装置１０は変電機器３０の付近に設置される。発信装置１０は、変電機器３０の状態情報を収集する通信装置として機能する。発信装置１０は、受信装置２０と無線通信可能に構成される。発信装置１０および受信装置２０との無線通信には、無線ＬＡＮ（local  area  network）、Ｂｌｕｅｔｏｏｔｈ（登録商標）、および他の無線通信方式が採用される。
【００１６】
発信装置１０は、内蔵された蓄電池からの電力供給により動作する。蓄電池には、太陽光発電等の再生可能エネルギーの発電電力が供給される。発信装置１０の始動は、蓄電池の電力レベルが一定レベルに到達した時点で自動的に行なわれる。なお、発信装置１０に内蔵された蓄電池は、発信装置１０に対応する変電機器３０に取り付けられたセンサ群３２にも電力を供給してもよい。
【００１７】
発信装置１０は、変電機器３０に取り付けられた各センサから状態情報を取得する。発信装置１０は、取得した状態情報に割り当てられた優先度に応じた送信周期で当該状態情報を受信装置２０へ送信する。例えば、状態情報は、変電機器３０の識別ＩＤと、状態情報の種類と、計測値と、当該計測値の計測日時等を含む。詳細は後述するが、状態情報に割り当てられた優先度が高いほど、その状態情報は高頻度で受信装置２０へ送信される。そのため、優先度の高い状態情報の送信周期は短く、優先度の低い状態情報の送信周期は長くなる。
【００１８】
なお、発信装置１０は、図１に示すように変電機器３０ごとに設けられていてもよいし、複数の変電機器３０から構成される変電機器群ごとに設けられていてもよい。
【００１９】
受信装置２０は、各発信装置１０から対応する変電機器３０の状態情報を受信し、各状態情報を分類したデータをサーバ４０へ送信する通信装置として機能する。典型的には、受信装置２０は、常設の電源ケーブルより給電されるため、常時稼動状態である。受信装置２０は、各発信装置１０から設定期間内に受信した状態情報を、変電機器３０の識別ＩＤおよび状態情報の種類ごとに分類し、分類したデータを記憶する。受信装置２０は、通信回線５０を介して、設定期間内に受信した状態情報を分類したデータをサーバ４０へ送信する。通信回線５０は、受信装置２０とサーバ４０との通信専用の回線であってもよいし、インターネット回線であってもよい。
【００２０】
サーバ４０は、発信装置１０および受信装置２０の上位装置に相当する。サーバ４０は、保守拠点に設けられており、計測された状態情報の良否判断、および状態情報の異常を通知する機能等を有する。なお、サーバ４０は、計測された状態情報に一定の処理を施して、トレンドグラフ、特性グラフ等のデータ評価が可能な情報を表示する機能を有していてもよい。
【００２１】
＜ハードウェア構成＞
（発信装置）
図２は、発信装置１０のハードウェア構成の一例を示すブロック図である。図２を参照して、発信装置１０は、プロセッサ１０２と、メモリ１０４と、無線通信インターフェイス（Ｉ／Ｆ）１０６と、通信アンテナ１０８と、蓄電池１１０と、センサインターフェイス（Ｉ／Ｆ）１１２とを含む。
【００２２】
プロセッサ１０２は、典型的には、ＣＰＵ（Central  Processing  Unit）あるいはＭＰＵ（Multi  Processing  Unit）といった演算処理部である。プロセッサ１０２は、メモリ１０４に記憶されたプログラムを読み出して実行することで、発信装置１０の各部の動作を制御する。
【００２３】
メモリ１０４は、ＲＡＭ（Random  Access  Memory）、ＲＯＭ（Read-Only  Memory）、フラッシュメモリなどによって実現される。メモリ１０４は、プロセッサ１０２によって実行されるプログラム、またはプロセッサ１０２によって用いられるデータなどを記憶する。
【００２４】
無線通信インターフェイス１０６は、通信アンテナ１０８を介してネットワークに接続し無線通信のための信号を送受信する。これにより、発信装置１０は、受信装置２０との無線通信が可能となる。
【００２５】
蓄電池１１０は、発信装置１０の各種構成要素に電力を供給する。蓄電池１１０は、充放電可能な電力貯蔵要素であり、代表的にはリチウムイオン電池あるいはニッケル水素電池などの二次電池で構成される。典型的には、蓄電池１１０は、太陽光、風力等の再生可能エネルギーに基づいて発電装置が生成した発電電力によって充電される。
【００２６】
センサインターフェイス１１２は、センサ群３２に含まれるセンサと通信するためのインターフェイスである。センサインターフェイス１１２は、センサから状態情報に対応するセンサ信号を受信し、当該センサ信号をプロセッサ１０２が受け取り可能な形式に変換して出力する。典型的には、センサインターフェイス１１２は、センサ群３２に含まれるセンサの数に応じて設けられる。
【００２７】
（受信装置）
図３は、受信装置２０のハードウェア構成の一例を示すブロック図である。図３を参照して、受信装置２０は、受信装置２０の各部の動作を制御するプロセッサ２０２と、プロセッサ２０２によって用いられるデータを記憶するメモリ２０４と、発信装置１０と通信するための無線通信インターフェイス２０６と、通信アンテナ２０８と、サーバ４０と通信するための通信インターフェイス２１０とを含む。受信装置２０は、電源ケーブルを介して商用電源２３０からの電力供給を受ける。また、受信装置２０は、直流電源から電力供給を受けることが可能な機能を有していてもよい。
【００２８】
＜優先度の設定方式＞
上述したように、発信装置１０は、変電機器３０の状態情報の優先度に応じた送信周期で状態情報を送信する。ここでは、一例として、変電機器３０がＧＩＳで構成される場合の優先度の設定方式と、変電機器３０が変圧器で構成される場合の優先度の設定方式について説明する。
【００２９】
図４は、ＧＩＳの各状態情報の優先度の設定テーブル４００を示す図である。図４を参照しながら、ＧＩＳの各状態情報の優先度の設定方式について説明する。ＧＩＳは、絶縁ガスであるＳＦ６ガスを充填密閉した金属容器を備えている。金属容器は、絶縁スペーサにより複数のガス区分に区分されている。例えば、ガス区分♯１には遮断器ＣＢが収容され、ガス区分♯２には母線が収容され、ガス区分♯３には断路器ＤＳが収容される。各ガス区分には、当該ガス区分内のガス圧を計測するためのセンサが設けられる。
【００３０】
設定テーブル４００において、状態情報「ガス圧（ＣＢ）」は、遮断器ＣＢが収容されたガス区分♯１のガス圧を示し、状態情報「ガス圧（母線）」は、母線が収容されたガス区分♯２のガス圧を示し、状態情報「ガス圧（ＤＳ）」は、断路器ＤＳが収容されたガス区分♯３のガス圧を示す。状態情報「動作回数（ＣＢ）」は、遮断器ＣＢが動作（遮断動作）した累積動作回数を示し、状態情報「動作回数（ＤＳ）」は、断路器ＤＳが動作した累積動作回数を示し、状態情報「動作回数（ＥＳ）」は、接地開閉器ＥＳが動作した累積動作回数を示す。各状態情報は、ＧＩＳに設けられた各センサによって計測される。
【００３１】
設定テーブル４００においては、優先度「１」が最も優先度が高く、優先度「９」が最も優先度が低い。変電機器３０の絶縁性能に関連する状態情報の優先度は高く設定され、絶縁性能に関連しない状態情報の優先度は低く設定される。ＧＩＳでは、フランジ部のＯリングの劣化により絶縁ガスの微小漏洩（すなわち、スローリーク）が生じる場合がある。この現象が進むとＧＩＳの絶縁耐力が低下しＧＩＳ内部で事故が発生する可能性がある。そのため、ＧＩＳ内のガス圧は、ＧＩＳの絶縁性能に関連する重要度の高い状態情報となる。一方、ＧＩＳ内に設けられた開閉器（例えば、遮断器ＣＢ、断路器ＤＳ、接地開閉器ＥＳ）の動作回数は、絶縁性能に関連しない情報である。したがって、ＧＩＳのガス圧の優先度は、開閉器の動作回数の優先度よりも高く設定される。
【００３２】
ガス圧に関する状態情報の各優先度は図４の例に限られない。例えば、優先度が高い順に状態情報「ガス圧（母線）」、状態情報「ガス圧（ＣＢ）」、状態情報「ガス圧（ＤＳ）」であってもよい。同様に、動作回数に関する状態情報の各優先度は、図４の例に限られず、例えば、優先度が高い順に状態情報「動作回数（ＤＳ）」、状態情報「動作回数（ＣＢ）」、状態情報「動作回数（ＥＳ）」であってもよい。
【００３３】
発信装置１０は、各センサから状態情報を取得した際に、図４の設定テーブル４００を参照して当該状態情報の優先度を確認し、当該優先度に応じた送信周期で状態情報を受信装置２０へ送信する。具体的には、発信装置１０は、取得した状態情報の優先度が高いほど短い送信周期で当該状態情報を受信装置２０へ送信する。
【００３４】
優先度「ｎ」（ただし、ｎ≧１）に応じて送信周期Ｔｎが設定されており、Ｔｎ＜Ｔ（ｎ＋１）である。例えば、優先度が「１」である状態情報は送信周期Ｔ１（例えば、１週間に１回）で送信され、優先度が「２」である状態情報は、送信周期Ｔ１よりも長い送信周期Ｔ２（例えば、２週間に１回）で送信される。図４の例では、優先度が最も高い状態情報「ガス圧（ＣＢ）」が、最も高頻度で受信装置２０へ送信される。例えば、発信装置１０は、各状態情報について、当該状態情報の送信タイミングが到来した場合に、センサから当該状態情報を取得し、取得した状態情報を受信装置２０へ送信する。
【００３５】
上記構成によると、各状態情報の送信周期が優先度に応じて適正化されるため、蓄電池１１０に蓄えられた電力消費量を抑制しつつ、重要度の高い状態情報については高頻度に送信することができる。
【００３６】
なお、受信装置２０へ送信されるガス圧のデータは、定期的にサーバ４０に伝送され、サーバ４０側でガス圧のトレンドデータとして蓄積される。サーバ４０は、受信したガス圧のトレンドデータに基づいてガス圧のトレンドグラフを作成し、スローリークの有無の判断、およびリーク度合いの判断を行なう。当該判断結果は、保守計画あるいは更新計画に活用される。
【００３７】
通常、発信装置１０は、図４の設定テーブル４００に示す優先度に応じた送信周期で状態情報を送信するが、取得した状態情報の計測値が基準範囲外である場合、当該状態情報の優先度を高くする。例えば、状態情報「ガス圧（母線）」の計測値が基準範囲外（例えば、ガス圧が閾値未満）である場合、発信装置１０は、状態情報「ガス圧（母線）」の優先度を現状の「２」から「１」に変更する。これに伴い、状態情報「ガス圧（ＣＢ）」の優先度が「１」から「２」へ変更される。例えば、ガス圧の閾値は、ガス圧が完全に異常と判断される値に設定するのではなく、異常が疑われる程度の値に設定される。
【００３８】
また、状態情報「動作回数（ＣＢ）」の計測値が基準範囲外（例えば、遮断器ＣＢの累積動作回数が基準回数以上）である場合、発信装置１０は、状態情報「動作回数（ＣＢ）」の優先度を現状の「７」から「１」に変更する。これに伴い、他の状態情報の優先度は低い側へ１つずつ変更（例えば、優先度「１」であった状態情報「ガス圧（ＣＢ）」は優先度「２」へ変更）される。なお、発信装置１０は、状態情報「動作回数（ＣＢ）」の優先度を現状の「７」から高い方向へ変更すればよく、「１」ではなく「２」〜「６」のいずれかであってもよい。
【００３９】
状態情報が示す計測値に応じて優先度を変更する構成によると、遠隔地にて異常が疑われる状態情報をより注意深く監視することが可能となる。
【００４０】
図５は、変圧器の各状態情報の優先度の設定テーブル５００を示す図である。図５の状態情報「油温（本体）」は変圧器本体に封入される絶縁油の温度を示し、状態情報「油温（タップ切替器）」は、変圧器に設けられたタップ切替器の絶縁油温度を示す。状態情報「油量（本体）」は変圧器本体の絶縁油量（例えば、油面レベル）を示し、状態情報「油量（タップ切替器）」は、タップ切替器の絶縁油量を示す。状態情報「切替回数（タップ切替器）」はタップ切替器のタップが切り替えられた累積切替回数を示す。
【００４１】
設定テーブル５００においては、優先度「１」が最も優先度が高く、優先度「８」が最も優先度が低い。ＧＩＳの場合と同様に変圧器の場合でも、絶縁性能に関連する状態情報の優先度は高く設定され、絶縁性能に関連しない状態情報の優先度は低く設定される。図５の例では、変圧器の絶縁油温度および絶縁油量は、変圧器の絶縁性能に関連する重要度の高い状態情報であり、変圧器に設けられたタップ切替器の切替回数は、絶縁性能に関連しない情報である。そのため、絶縁油温度および絶縁油量の優先度は、タップ切替回数の優先度よりも高く設定される。設定テーブル５００では、絶縁油温度の方が絶縁油量よりも優先度が高く設定されているが、この設定は逆であってもよい。
【００４２】
変圧器の場合でも、状態情報の計測値が基準範囲外である場合、当該状態情報の優先度は高く設定される。例えば、状態情報「油温（タップ切替器）」が示す絶縁油温度が基準範囲外（例えば、絶縁油温度が上限温度以上）になった場合、発信装置１０は、状態情報「油温（タップ切替器）」の優先度を現状の「２」から「１」に変更する。例えば、基準温度は異常が疑われる程度の値に設定される。また、状態情報「油量（本体）」が示す絶縁油量が基準範囲外（例えば、絶縁油量が下限値未満）になった場合、発信装置１０は、状態情報「油量（本体）」の優先度を現状の「３」から「１」に変更する。例えば、基準量は異常が疑われる程度の値に設定される。
【００４３】
受信装置２０へ送信される絶縁油温度および絶縁油量のデータは、定期的にサーバ４０に伝送され、サーバ４０側で絶縁油温度および絶縁油量のトレンドデータとして蓄積される。点検技術員は、蓄積されたトレンドデータに基づいて絶縁油の何らかの異常傾向を判断した場合、例えば、油中ガス分析装置を利用して、絶縁油の油中ガス成分の組成変化を詳細に分析することにより、高経年変圧器における内部の微小放電、絶縁環境劣化、鉄心局部過熱などのダメージ状況を確認してもよい。
【００４４】
＜機能構成＞
図６は、発信装置１０および受信装置２０の機能構成を示すブロック図である。図６を参照して、発信装置１０は、主な機能構成として、取得部１５２と、設定部１５４と、送信制御部１５６とを含む。これらの各機能は、例えば、プロセッサ１０２がメモリ１０４に格納されたプログラムを実行することによって実現される。なお、これらの機能の一部または全部はハードウェアで実現されるように構成されていてもよい。
【００４５】
受信装置２０は、主な機能構成として、状態情報受信部２５２と、分類部２５４と、送信部２５６とを含む。これらの各機能は、例えば、プロセッサ２０２がメモリ２０４に格納されたプログラムを実行することによって実現される。なお、これらの機能の一部または全部はハードウェアで実現されるように構成されていてもよい。
【００４６】
発信装置１０の取得部１５２は、変電機器３０に取り付けられた各センサによって計測される変電機器３０の状態情報を取得する。取得部１５２は、主に、プロセッサ１０２およびセンサインターフェイス１１２によって実現される機能である。
【００４７】
設定部１５４は、変電機器３０に取り付けられた各センサから取得された状態情報の優先度を設定する。設定部１５４は、変電機器３０の絶縁性能に関連する状態情報の優先度を、当該絶縁性能に関連しない状態情報の優先度よりも高く設定する。例えば、変電機器３０がＧＩＳである場合、設定部１５４は、図４の設定テーブル４００に示すようにＧＩＳのガス圧の優先度を、開閉器の動作回数の優先度よりも高く設定する。変電機器３０が変圧器である場合、設定部１５４は、図５の設定テーブル５００に示すように、変圧器の絶縁油温度および絶縁油量の優先度を、タップ切替器の切替回数の優先度よりも高く設定する。
【００４８】
また、設定部１５４は、取得された状態情報の計測値（例えば、ガス圧力値）が基準範囲外であるか否かを判断する。なお、基準範囲は、状態情報の種類に応じて予め定められているものとする。設定部１５４は、状態情報の計測値が基準範囲外であると判断した場合、当該状態情報の優先度を、当該計測値が基準範囲内である場合の当該状態情報の優先度よりも高くする。図４の設定テーブル４００が示すＧＩＳの各状態情報の優先度は、ＧＩＳの各状態情報の計測値が基準範囲内である場合の優先度である。図５の設定テーブル５００が示す変圧器の各状態情報の優先度は、変圧器の各状態情報の計測値が基準範囲内である場合の優先度である。
【００４９】
送信制御部１５６は、変電機器３０の各状態情報について、当該状態情報の優先度に応じた送信周期で当該状態情報を受信装置２０へ送信する。具体的には、送信制御部１５６は、当該状態情報の優先度が高いほど短い送信周期で当該状態情報を受信装置２０へ送信する。
【００５０】
例えば、送信制御部１５６は、取得部１５２により取得された状態情報Ｘを受信装置２０へ送信した後、設定部１５４により設定された状態情報Ｘの優先度に応じた送信周期に基づいて、次回の送信タイミングの到来を監視する。送信制御部１５６は、状態情報Ｘの送信タイミングが到来した場合（すなわち、状態情報Ｘを送信してから送信周期に対応する時間が経過した場合）、取得部１５２に対して状態情報Ｘを取得するように指示する。取得部１５２は、当該指示に従って、状態情報Ｘを対応するセンサから取得する。送信制御部１５６は、取得部１５２により取得された状態情報Ｘを受信装置２０へ送信する。
【００５１】
受信装置２０の状態情報受信部２５２は、送信制御部１５６から状態情報を受信する。分類部２５４は、変電機器３０の識別ＩＤ、状態情報の種類、計測値の計測日時に基づいて、発信装置１０から取得した多数の状態情報を分類する。分類部２５４は、多数の状態情報を分類した分類データをメモリ２０４に記憶する。送信部２５６は、一定期間ごとに分類データをサーバ４０へ送信する。
【００５２】
＜処理手順＞
図７は、発信装置１０の処理手順を示すフローチャートである。典型的には、以下の各ステップは、プロセッサ１０２がメモリ１０４に格納されたプログラムを実行することによって実現される。図７のフローチャートは、変電機器３０の各状態情報のうちのある状態情報の取得から、受信装置２０への当該状態情報の送信までの処理の流れを示している。発信装置１０は、変電機器３０の各状態情報について以下の処理を実行する。
【００５３】
図７を参照して、プロセッサ１０２は、センサインターフェイス１１２を介して、変電機器３０に取り付けられたセンサから状態情報を取得する（ステップＳ１０）。プロセッサ１０２は、無線通信インターフェイス１０６を介して、取得した状態情報を受信装置２０へ送信する（ステップＳ１２）。
【００５４】
プロセッサ１０２は、ステップＳ１０で取得した状態情報の計測値が基準範囲外か否かを判断する（ステップＳ１４）。当該計測値が基準範囲外である場合には（ステップＳ１４においてＹＥＳ）、プロセッサ１０２は、取得した状態情報の優先度を現在よりも高く設定して、当該状態情報の送信周期を短くする（ステップＳ１６）。当該計測値が基準範囲内である場合には（ステップＳ１４においてＮＯ）、プロセッサ１０２は、ステップＳ１８の処理を実行する。
【００５５】
プロセッサ１０２は、設定されている状態情報の送信周期に基づいて、当該状態情報の送信タイミングが到来したか否かを判断する（ステップＳ１８）。具体的には、ステップＳ１６において状態情報の優先度が変更されている場合には、プロセッサ１０２は、ステップＳ１２において状態情報を送信してから、変更された送信周期に対応する時間が経過したか否かを判断する。プロセッサ１０２は、当該時間が経過した場合に送信タイミングが到来したと判断する。
【００５６】
また、ステップＳ１４において当該計測値が基準範囲内であると判断し、状態情報の優先度が変更されていない場合には、プロセッサ１０２は、ステップＳ１２において状態情報を送信してから、現状の送信周期に対応する時間が経過したか否かを判断する。プロセッサ１０２は、当該時間が経過した場合に送信タイミングが到来したと判断する。
【００５７】
当該状態情報の送信タイミングが到来した場合には（ステップＳ１８においてＹＥＳ）、プロセッサ１０２は、ステップＳ１０に戻って、状態情報をセンサから取得する。当該状態情報の送信タイミングが到来していない場合には（ステップＳ１８においてＮＯ）、プロセッサ１０２は、ステップＳ１８の処理を繰り返す。
【００５８】
＜利点＞
本実施の形態によると、発信装置１０と受信装置２０との通信に無線通信方式を採用しているため、ケーブルの敷設が不要となり工事を低コスト化できる。発信装置１０と受信装置２０とは独立した装置であるため、変電機器３０の増設あるいは撤去等に対して、発信装置１０および受信装置２０を柔軟かつ合理的に設置できる。発信装置１０は蓄電池１１０の電力で動作するため、各発信装置１０に電源ケーブルを接続する必要もない。したがって、発信装置１０および受信装置２０を含む通信システム５を簡易に構成することができる。
【００５９】
また、保守拠点側で変電機器３０の状態情報を確認できるため、点検技術員の負担を軽減できる。各状態情報の送信周期が優先度に応じて適正化されるため、蓄電池１１０に蓄えられた電力消費量を抑制しつつ、状態情報の適切な取得および保守拠点への送信が可能となる。そのため、発信装置１０には大容量の蓄電池１１０を搭載する必要がなく、小型化が可能となる。また、状態情報の計測値が基準範囲外である場合には優先度が高く変更され送信周期が短くなるため、保守拠点にて異常が疑われる状態情報をより注意深く監視できる。
【００６０】
その他の実施の形態．
（１）上述した図４の設定テーブル４００において、単一の変電機器３０の状態情報の優先度を設定する構成について説明した。発信装置１０が複数の変電機器３０の状態情報を取得する構成である場合には、変電機器３０の電圧階級に応じて優先度を設定してもよい。以下では、ＧＩＳを例として説明するが、変圧器についても同様である。
【００６１】
例えば、発信装置１０が、５００ｋＶのＧＩＳ、２７５ｋＶのＧＩＳ、７７ｋＶのＧＩＳの各々の状態情報を取得するように構成されているとする。この場合、発信装置１０の取得部１５２は、５００ｋＶのＧＩＳに設けられた各センサから状態情報を取得し、２７５ｋＶのＧＩＳに設けられた各センサから状態情報を取得し、７７ｋＶのＧＩＳに設けられた各センサから状態情報を取得する。
【００６２】
設定部１５４は、同一種類の状態情報については、電圧階級の高いＧＩＳの状態情報の優先度を、電圧階級の低いＧＩＳの状態情報の優先度よりも高く設定する。例えば、図４の設定テーブル４００に示す種類の状態情報が取得されるとする。
【００６３】
この場合、５００ｋＶのＧＩＳの状態情報「ガス圧（ＣＢ）」が優先度「１」、２７５ｋＶのＧＩＳの状態情報「ガス圧（ＣＢ）」が優先度「２」、７７ｋＶのＧＩＳの状態情報「ガス圧（ＣＢ）」が優先度「３」、５００ｋＶのＧＩＳの状態情報「ガス圧（母線）」が優先度「４」、２７５ｋＶのＧＩＳの状態情報「ガス圧（母線）」が優先度「５」、７７ｋＶのＧＩＳの状態情報「ガス圧（母線）」が優先度「６」となる。他の状態情報「ガス圧（ＤＳ）」，「動作回数（ＣＢ）」，「動作回数（ＤＳ）」，「動作回数（ＥＳ）」についても同様である。
【００６４】
上記のように、設定部１５４は、電圧階級Ｌ１（例えば、５００ｋＶ）のＧＩＳの種類Ｙ１（例えば、ガス圧（ＣＢ））の状態情報の優先度を、電圧階級Ｌ１よりも低い電圧階級Ｌ２（例えば、２７５ｋＶ）のＧＩＳの種類Ｙ１の状態情報の優先度よりも高く設定する。なお、上記以外の電圧階級（例えば、６６ｋＶ、１１０ｋＶ，１５８ｋＶ、１８７ｋＶ，２２０ｋＶ等）についても、電圧階級が高いほど優先度が高いものとする。
【００６５】
（２）上述した実施の形態において、発信装置１０は、蓄電池１１０の電池残量に応じて状態情報を送信するか否かを判断してもよい。具体的には、送信制御部１５６は、蓄電池１１０の電池残量が基準残量以上か否かを判断する。電池残量が基準残量以上である場合には、上述したように、送信制御部１５６は、取得された状態情報の優先度に応じた送信周期で当該状態情報を受信装置２０へ送信する。
【００６６】
一方、電池残量が基準残量未満である場合には、送信制御部１５６は、取得された状態情報の優先度が基準優先度（例えば、優先度「４」）よりも高いか否かを判断する。送信制御部１５６は、取得された状態情報の優先度が基準優先度よりも高い場合には、当該状態情報を送信する。これに対して、送信制御部１５６は、取得された状態情報の優先度が基準優先度と同じ、または基準優先度よりも低い場合には、当該状態情報を送信しない。
【００６７】
上記構成によると、発信装置１０は、蓄電池１１０の電池残量が基準残量未満である場合には、優先度の低い状態情報の送信を制限する。これにより、蓄電池１１０の電池残量が少ない場合には、発信装置１０の消費電力をより抑制することができる。
【００６８】
（３）上述の実施の形態として例示した構成は、本発明の構成の一例であり、別の公知の技術と組み合わせることも可能であるし、本発明の要旨を逸脱しない範囲で、一部を省略する等、変更して構成することも可能である。上述した実施の形態において、その他の実施の形態で説明した処理および構成を適宜採用して実施する場合であってもよい。
【００６９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７０】
５  通信システム、１０Ａ〜１０Ｃ  発信装置、２０Ａ〜２０Ｃ  受信装置、３０Ａ〜３０Ｃ  変電機器、３２Ａ〜３２Ｃ  センサ群、４０  サーバ、５０  通信回線、１０２，２０２  プロセッサ、１０４，２０４  メモリ、１０６，２０６  無線通信インターフェイス、１０８，２０８  通信アンテナ、１１０  蓄電池、１１２  センサインターフェイス、１５２  取得部、１５４  設定部、１５６  送信制御部、２１０  通信インターフェイス、２３０  商用電源、２５２  状態情報受信部、２５４  分類部、２５６  送信部、４００，５００  設定テーブル。
【図１】
2020198726.tif 000003
【図２】
2020198726.tif 000004
【図３】
2020198726.tif 000005
【図４】
2020198726.tif 000006
【図５】
2020198726.tif 000007
【図６】
2020198726.tif 000008
【図７】
2020198726.tif 000009